(57)【特許請求の範囲】
【請求項１】
固定部を形成した底部の左右両側より側壁部が前面方向に突出され、さらにその左右の側壁部の上部より前面壁部が相対向してそれぞれ内方に突出されて、前面が開口されたボックス構造となされ、固定部によって構造物の壁面に取付けられると共に、底部の左右両側で防音パネルの端部を支持させるようになされたことを特徴とする防音パネルを構造物の壁面に取付けるための取付金具。
【請求項２】
防音パネルを係止する落下防止ワイヤーを取付けるための取付部が形成されていることを特徴とする請求項１記載の防音パネルを構造物の壁面に取付けるための取付金具。
【請求項３】
請求項１又は２記載の防音パネルを構造物の壁面に取付けるための取付金具によって、防音パネルが構造物の壁面に取付けられたことを特徴とする防音パネルの取付構造。
【発明の詳細な説明】
【０００１】
【発明の属する技術分野】
本発明は、主として、車両等の走行に伴う騒音を遮音、吸音するために、防音パネルを構造物の壁面に取付けるための取付金具及びその取付金具を用いた防音パネルの取付構造に関するものである。
【０００２】
【従来の技術】
車両などの走行に伴う騒音を低減させるために、高架橋や橋梁、掘割道路、トンネル等の構造物の桁裏面や、天井、側壁等、構造物の壁面に防音パネルが取付けられる。従来、かかる防音パネルの取付構造は、例えば図３に示される如く、中央部に沿って固定部ａを背面側に突出させた平板状の取付金具ｂを使用したものであり、この取付金具ｂを、構造物ｃの壁面ｄの固定したアンカーボルトｅに固定部ａを締着することによって、壁面ｄに固定すると共に、左右の平板部ｆで隣接する防音パネルｇの相対向するそれぞれの端部を支持するようになされている。
【０００３】
【発明が解決しようとする課題】
しかしながら、防音パネルｇによって低減すべき車両からの騒音は防音パネルｇに垂直方向から入射してくるものだけでなく、大半は斜め方向から入射してくるものであるところ、従来の前記の如き取付金具ｂを使用した取付構造にあっては、特に斜め方向から入射してくる騒音が、前記取付金具ｂに到達すると、取付金具ｂが平板状であるために、その取付金具ｂや防音パネルｇの端面で反射し、それらの反射が、斜入射する騒音に対する吸音率、すなわち斜入射吸音率を低下させる要因になっていた。
【０００４】
そこで本発明は上記の如き問題を解決し、斜入射吸音率を向上させた防音パネルを構造物の壁面に取付けるための取付金具及びその取付金具を用いた防音パネルの取付構造を提供せんとするものである。
【０００５】
【課題を解決するための手段】
本発明は、上記課題を解決するために、次のような構成としている。
すなわち、本発明に係る防音パネルを構造物の壁面に取付けるための取付金具は、固定部を形成した底部の左右両側より側壁部が前面方向に突出され、さらにその左右の側壁部の上部より前面壁部が相対向してそれぞれ内方に突出されて、前面が開口されたボックス構造となされ、固定部によって構造物の壁面に取付けられると共に、底部の左右両側で防音パネルの端部を支持させるようになされたことを特徴とするものであり、
又本発明に係る防音パネルの取付構造は、前記発明に係る防音パネルを構造物の壁面に取付けるための取付金具によって、防音パネルが構造物の壁面に取付けられたことを特徴とするものである。
【０００６】
本発明によれば、取付金具は前面が開口されたボックス構造となされているので、斜め方向から入射してくる騒音が、取付金具に到達すると、一部はその取付金具の前面壁部によって反射されるものの、大半は開口よりボックス内に入射され、そのボックス内で乱反射を繰り返して減衰されること等から、斜入射吸音率が向上する。
【０００７】
【発明の実施の形態】
次に、本発明の実施の形態について図面を参照し、具体的に説明する。
先ず、図１は本発明に係る取付金具を用いて防音パネルを構造物の壁面に取付けた実施の一形態を示す断面図、図２は取付金具の実施の一形態を示す斜視図である。
【０００８】
図１で示された形態の防音パネルＡは、ほぼ全面に多数の開口部１１が形成された前面部１と、遮音性を有する背面部２とによって形成された中空内に、吸音材３が内装され、そして吸音材３と背面部２との間に背面空気層４が形成されると共に、前面部１と吸音材３との間に前面空気層５が形成されたものであって、前面部１の開口部１１より中空内に入射した騒音が吸音材３により吸音されると共に、背面部２により遮音され、且つ背面空気層４内の乱反射等により低周波域の騒音が効果的に減衰され、さらに前面部１と吸音材３との間の前面空気層５内で乱反射を繰り返し、それが吸音材３により吸音されると共に互いに干渉する等して減衰され、それらの相乗効果によって斜入射吸音率が高められているものである。さらにこの形態での防音パネルＡの両端部には、その奥位置には中空状の張出部６が外方に向けて張り出されている。
【０００９】
前記防音パネルＡの前面部１は、一般にはアルミニウム合金板、鉄板、ステンレス板から形成され、適宜それらの表面に耐食性を向上させるための塗装等が施されるが、特に限定されるものではない。又開口部１１は、庇部を設けたスリット孔であってもよく、特に限定されるものではないが、パンチング孔にすれば、スリット孔に比べて前面部１の表面がほぼ平坦となるので、清掃や洗浄が容易となる。なお、開口部１１を形成した前面部１の開口率は、好ましくは１５〜５０％とされるが、特に限定されるものではない。
【００１０】
吸音材３は、一般にはグラスウール等の繊維状のものが適宜用いられるが特に限定されるものではない。この吸音材３は、耐候性を高め、さらに雨水から保護するために、保護材で包んでおくのが好ましい。保護材としては、一般には防水性や耐久性に優れたポリフッ化ビニールフイルムや四フッ化フロロエチレンフイルム等が用いられるが、これも限定するものではなく、ガラスクロス等であってもよく、さらに前記例示のフイルム等を内部保護材としてこの内部保護材でまず包み、さらにガラスクロス等の外部保護材で覆うようにしてもよい。なお、吸音材３の厚さは、好ましくは５０〜１００ｍｍとされるが、特に限定されるものではない。
【００１１】
背面部２は、騒音が背面部２から外部に透過しないように、要求する透過損失を満足できるような厚みの前記前面部１で例示したような金属板からなる板材等を使用して背面部２を形成し、前面部１と背面部２とによって中空のパネル体を形成し、その背面部２と吸音材３との間に背面空気層４を形成してもよいが、本発明においては、例えば高架橋や橋梁、掘割道路、トンネル等の構造物の桁裏面や、天井、側壁等、すなわち構造物７の壁面７１に取付けられるので、背面部２は特に他の板材等によって形成せず、その取付けられる構造物７の壁面７１を背面部２としてもよい。なお、背面空気層４の奥行き寸法は、好ましくは５〜５０ｍｍとされるが、特に限定されるものではない。
【００１２】
また、前面部１と吸音材３との間に、前面空気層５を形成するために、側面部５２が凹溝状となされた、例えば断面が略逆Ｚ字状となされたスペーサー５１が、前面部１と吸音材３との間に介在されている。なお、スペーサー５１の側面部５２を凹溝状としたのは、斜入射してこのスペーサー５１の側面部５２に到達した騒音が、凹溝状側面部５２の相対向する内壁間で反射させ、減衰させるためである。前記スペーサー５１によって確保される前面空気層５の奥行き寸法は、好ましくは５〜５０ｍｍとされるが、特に限定されるものではない。
【００１３】
８は前記防音パネルＡを構造物７の壁面７１に取付けるための取付金具であって、取付金具８は、ほぼ中央に沿って固定部８１が背面側に突出された底部８２の左右両側より側壁部８３が前面方向に突出され、さらにその左右の側壁部８３の上部より前面壁部８４が相対向してそれぞれ内方に突出されて、前面が開口８５されたボックス構造となされており、そして構造物７の壁面７１に固定されたアンカーボルト７２に前記固定部８１を螺着することにより、取付金具８は壁面７１に固定され、そしてこの固定された取付金具８の底部８２の左右両側で、隣接する防音パネルＡの端部に張り出された各張出部６を支持させることにより、防音パネルＡは構造物７の壁面７１に取付けられる。なお、８６はクッション材である。
【００１４】
さらに取付金具８には、落下防止ワイヤー９を挿通して取付けるための取付孔８７が穿設された取付部８８が、取付金具８の下部より背面方向に突出され、この取付孔８７に挿通して取付金具８に係止した落下防止ワイヤー９を、防音パネルＡの前記中空状の張出部６に挿通することにより、防音パネルＡの落下防止が図られていると共に、取付部８８が防音パネルＡの張出部６を受けるようになされている。
【００１５】
なお、かようにして取付金具８により構造物７の壁面７１に取付けられる防音パネルＡに対して、取付金具８の前面壁部８４が防音パネルＡの前面部１とほぼ面一となるように、取付金具８の側壁部８３の高さを設定しておくのが好ましく、不必要な段差を生じるとその段差部で騒音が反射する。又左右の側壁部８３間の寸法を隣接する防音パネルＡの間隔より僅か小さい寸法とし、側壁部８３と防音パネルＡの端部との間の隙間をできるだけ小さくするのが好ましく、隙間が大きいと騒音が防音パネルＡの端部と側壁部８３との間に入り込んで、防音パネルＡの端部や側壁部８３で反射する。
【００１６】
次に本発明による前記形態の取付金具８を使用した防音パネルＡの取付構造と、図３に示された従来の取付金具ｂを使用した防音パネルｇの取付構造について、それぞれ平均斜入射吸音率を測定したところ、従来の取付構造についての平均斜入射吸音率の平均値は０．８２２であったが、本発明の取付構造についての平均斜入射吸音率の平均値は０．８７９であり、本発明による取付金具８を使用すれば、平均斜入射吸音率が改善されることが確かめられた。
【００１７】
平均斜入射吸音率とは、騒音の入射角度を０度（垂直入射）、１５度、３０度、４５度の４種類とし、その角度毎に測定して得られる吸音率を算術平均した値であり、１／３オクターブ中心周波数Ｈｚ毎にその値を測定したものであり、平均斜入射吸音率の平均値はそれらの値を加重平均したものである。
【００１８】
なお、本発明においては、防音パネルＡ及び取付金具８の形態は、前記例示した形態に限定されるものではなく、例えば、前面空気層４及び背面空気層４は、設けなくてもよく、又前面空気層４を設けずに背面空気層４を設けてもよく、逆に前面空気層４を設けて背面空気層４を設けないようにしてもよく、本発明の範囲において、任意の形態が採用される。
【００１９】
【発明の効果】
本発明によれば、取付金具は前面が開口されたボックス構造となされているので、斜め方向から入射してくる騒音が、取付金具に到達すると、一部はその取付金具の前面壁部によって反射されるものの、大半は開口よりボックス内に入射され、そのボックス内で乱反射を繰り返して減衰されること等から、斜入射吸音率が向上する。
【図面の簡単な説明】
【図１】本発明に係る取付金具を用いて防音パネルを構造物の壁面に取付けた実施の一形態を示す断面図である。
【図２】図１の取付金具を示す斜視図である。
【図３】従来の防音パネルの取付構造を示す断面図である。
【符号の説明】
Ａ    防音パネル
１    前面部
１１  開口部
２    背面部
３    吸音材
４    背面空気層
５    前面空気層
５１  スペーサー
５２  側面部
６    張出部
７    構造体
７１  壁面
７２  アンカーボルト
８    取付金具
８１  固定部
８２  底部
８３  側壁部
８４  前面壁部
８５  開口
８６  クッション材
８７  取付孔
８８  取付部
９    落下防止ワイヤー
【図１】
0003774347.tif 000002
【図２】
0003774347.tif 000003
【図３】
0003774347.tif 000004